(57)【要約】【課題】蒸気発生装置及び蒸気洗浄装置を提供する。【解決手段】本発明の蒸気発生装置は、液体貯蔵ユニット及び燃焼ユニットを備える。燃焼ユニットは液体貯蔵ユニットに連結され、燃焼ユニットは燃料の燃焼により生じる熱量を液体貯蔵ユニット中の液体に伝導させ、液体貯蔵ユニット中の液体から蒸気を発生させる。また、蒸気洗浄装置も提供する。【選択図】図２
2018189357.tif 000002
【特許請求の範囲】
【請求項１】
ハウジングユニットと、
蒸気発生装置と、
を備え、
前記蒸気発生装置は、前記ハウジングユニットに内設され、貯水槽と、水入口と、蒸気出口とを含み、前記水入口は前記貯水槽に連通され、前記蒸気出口は前記貯水槽に連通され、
前記蒸気発生装置は、
液体を前記貯水槽内に注入するために用いられる液体貯蔵ユニットと、
前記ハウジングユニットに内設され、前記液体貯蔵ユニットに連結され、燃料の燃焼により生じる熱量を前記貯水槽内の前記液体に伝導させ、前記貯水槽内の前記液体から蒸気を発生させ、前記蒸気出口は前記蒸気を出力させるために用いられる燃焼ユニットと、
を更に備えることを特徴とする、
蒸気洗浄装置。
【請求項２】
前記燃焼ユニットは、燃焼室と、燃料供給ユニットと、点火組立てキットとを備え、
前記燃料供給ユニットは前記燃焼室に連通され、
前記点火組立てキットは前記燃焼室に内設され、
前記燃焼室は前記液体貯蔵ユニットの下方に設置され、
前記燃料供給ユニットは前記燃料を前記燃焼室に供給するために使用され、
前記点火組立てキットは前記燃料を点火させるために用いられることを特徴とする、
請求項１に記載の蒸気洗浄装置。
【請求項３】
前記燃焼ユニットは、バルブ組立てキット及び燃料輸送管を更に備え、
前記燃料輸送管は前記燃焼室と前記燃料供給ユニットとの間に連通され、
前記バルブ組立てキットは前記燃料供給ユニットに連結され、
前記バルブ組立てキットは前記燃料輸送管の開閉の制御に用いられることを特徴とする、
請求項２に記載の蒸気洗浄装置。
【請求項４】
前記貯水槽の底部には凹部を有し、前記燃焼室は前記凹部に位置されることを特徴とする、
請求項２に記載の蒸気洗浄装置。
【請求項５】
前記貯水槽の底部は環状を呈すると共に内輪部を有し、前記燃焼室は前記内輪部に位置されることを特徴とする、
請求項２に記載の蒸気洗浄装置。
【請求項６】
前記燃焼ユニットに設置される熱伝導組立てキットを更に備えることを特徴とする、
請求項２に記載の蒸気洗浄装置。
【請求項７】
前記燃焼ユニットに接続され、前記燃焼ユニット内で前記燃料が燃焼しているか否かの検出に用いられる温度検出ユニットを更に備えることを特徴とする、
請求項１に記載の蒸気洗浄装置。
【請求項８】
液体貯蔵ユニットと、
前記液体貯蔵ユニットに連結され、燃料の燃焼により生じる熱量を前記液体貯蔵ユニット中の液体に伝導させ、前記液体貯蔵ユニット中の前記液体から蒸気を発生させる燃焼ユニットと、
を備えることを特徴とする、
蒸気発生装置。
【請求項９】
前記燃焼ユニットは、燃焼室と、燃料供給ユニットと、点火組立てキットとを備え、
前記燃料供給ユニットは前記燃焼室に連通され、
前記点火組立てキットは前記燃焼室に内設され、
前記燃焼室は前記液体貯蔵ユニットの下方に設置され、
前記燃料供給ユニットは前記燃料を前記燃焼室に供給するために使用され、
前記点火組立てキットは前記燃料を点火させるために用いられることを特徴とする、
請求項８に記載の蒸気発生装置。
【請求項１０】
前記燃料供給ユニットはガス缶であることを特徴とする、
請求項８に記載の蒸気発生装置。
【発明の詳細な説明】
【技術分野】
【０００１】
本発明は、発生装置及び洗浄装置に関し、より詳しくは、蒸気発生装置及び蒸気洗浄装置に関する。
【背景技術】
【０００２】
蒸気洗浄機は高温により発生する蒸気を利用して床、ドア、窓、衣類、換気フード、エアコン等の洗浄を行って表面を殺菌し、同時に前記物体に付着した各種の細菌、微生物、或いは病原体を除去し、汚れを洗い落とす目的を達成させる。ゆえに、化学薬剤が不要であり、物品に損害を与えず、環境に対する二次汚染もない。
【発明の概要】
【発明が解決しようとする課題】
【０００３】
従来の市場に出回る蒸気洗浄機は、電力を加熱のためのエネルギー源とするために電源コードが必要である。しかしながら、電源コードは使用時に使用者の使い勝手に影響する。このため、従来の蒸気洗浄機を如何に改善し、上述の電源コードに起因する困難を改善させるかが現在業界における重要な課題となっている。
【０００４】
そこで、本発明者は上記の欠点が改善可能と考え、鋭意検討を重ねた結果、合理的設計で上記の課題を効果的に改善する本発明の提案に到った。
【０００５】
本発明は、以上の従来技術の課題を解決する為になされたものである。即ち、本発明の目的は、蒸気発生装置を提供することにある。換言すれば、燃焼加熱方式により蒸気を発生させ、電力を加熱のエネルギー源とするメカニズムを代替させる。
【０００６】
また、本発明の他の目的は、蒸気洗浄装置を提供することにある。換言すれば、前述の蒸気発生装置により蒸気を発生させ、前記蒸気により洗浄を行う目的を達成させる。
【課題を解決するための手段】
【０００７】
上記課題を解決するために、本発明のある態様の蒸気洗浄装置は、
ハウジングユニットと、
蒸気発生装置とを備え、
前記蒸気発生装置は、
前記ハウジングユニットに内設され、貯水槽と、水入口と、蒸気出口とを含み、前記水入口は前記貯水槽に連通され、前記蒸気出口は前記貯水槽に連通され、前記蒸気発生装置は、液体を前記貯水槽内に注入するために用いられる液体貯蔵ユニットと、
前記ハウジングユニットに内設され、前記液体貯蔵ユニットに連結され、燃料の燃焼により生じる熱量を前記貯水槽内の前記液体に伝導させ、前記貯水槽内の前記液体から蒸気を発生させ、前記蒸気出口は前記蒸気を出力させるために用いられる燃焼ユニットとを更に備える。
【０００８】
また、本発明の別の態様は、蒸気発生装置である。この装置は、液体貯蔵ユニット及び燃焼ユニットを備える。燃焼ユニットは液体貯蔵ユニットに連結され、燃焼ユニットは燃料の燃焼により生じた熱量を液体貯蔵ユニット中の液体に伝導させ、液体貯蔵ユニット中の液体から蒸気を発生させる。
【発明の効果】
【０００９】
上述のように、本発明に係る蒸気発生装置及び蒸気洗浄装置は、蒸気発生装置が燃焼加熱方式で蒸気を発生させ、電力を加熱のエネルギー源とするメカニズムを代替させる。上述の蒸気発生装置が蒸気洗浄装置に運用されることにより蒸気洗浄装置に電源コードが不要になり、無線蒸気洗浄装置機構とする。
【図面の簡単な説明】
【００１０】
【図１】本発明の一実施形態に係る蒸気発生装置を示す概略図である。
【図２】本発明の一実施形態に係る蒸気洗浄装置を示す概略図である。
【図３】本発明の他の実施形態に係る蒸気洗浄装置を示す概略図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００１２】
図１は本発明の一実施形態に係る蒸気発生装置を示す概略図である。本実施形態では、蒸気発生装置５０は液体貯蔵ユニット５２及び燃焼ユニット５４を備える。燃焼ユニット５４は液体貯蔵ユニット５２に連結される。燃焼ユニット５４は燃料の燃焼により生じる熱量を液体貯蔵ユニット５２中の液体に伝導させ、液体貯蔵ユニット５２中の液体から蒸気を発生させる。これにより、本実施形態では、燃焼加熱方式で蒸気を発生させる蒸気発生装置５０を提供することで、電力を加熱のエネルギー源とするメカニズムを代替させる。
【００１３】
また、本実施形態に係る蒸気発生装置５０は蒸気で動作する各種設備に配置され、以下に図面を参照して本実施形態に係る蒸気発生装置５０の応用実施形態について説明する。
【００１４】
図２は本発明の一実施形態に係る蒸気洗浄装置を示す概略図である。ちなみに、図面は説明に用いるのみであり、本発明に係る蒸気洗浄装置を制限するものではない。
【００１５】
本実施形態では、蒸気洗浄装置１００はハウジングユニット１１０及び蒸気発生装置５０を備える。ちなみに、ハウジングユニット１１０の形式に制限はなく、ハウジングユニット１１０の形式は実際の蒸気洗浄装置の態様に応じて調整可能である。
【００１６】
蒸気発生装置５０は液体貯蔵ユニット５２と、温度検出ユニット５３と、燃焼ユニット５４と、制御ユニット５５と、熱伝導組立てキット５６とを備える。
【００１７】
液体貯蔵ユニット５２はハウジングユニット１１０に内設され、液体貯蔵ユニット５２は貯水槽５２１と、水入口５２２と、蒸気出口５２３とを備える。水入口５２２は貯水槽５２１に連通され、蒸気出口５２３は貯水槽５２１に連通される。換言すれば、本実施形態に係る液体貯蔵ユニット５２は外界に連通される２本の通路を有し、１つは液体を貯水槽５２１に進入させるための水入口５２２であり、もう１つは蒸気を出力させるための蒸気出口５２３である。
【００１８】
ちなみに、ある実施形態では、液体貯蔵ユニット５２はポンプ及びタンク等の給水機構を利用し、ポンプによりタンク内の液体が注入口５２２を経由して貯水槽５２１内に注入される。
【００１９】
燃焼ユニット５４は液体貯蔵ユニット５２に連結される。燃焼ユニット５４は燃料供給ユニット５４１と、バルブ組立てキット５４２と、燃料輸送管５４３と、燃料ノズル５４４と、燃焼室５４５と、点火組立てキット５４６と、第１通気孔５４７と、第２通気孔５４８とを備える。
【００２０】
なお、本実施形態では、燃料供給ユニット５４１内には燃料が充填され、燃料供給ユニット５４１はカートリッジ式ガス缶や登山用ガス缶等であり、燃料供給ユニット５４１は燃焼室５４５に連通されると共に燃料を燃焼室５４５に供給する。バルブ組立てキット５４２は燃料供給ユニット５４１に連結され、バルブ組立てキット５４２は燃料輸送管５４３の開閉の制御に用いられる。ちなみに、本実施形態ではバルブ組立てキット５４２の形態が制限されず、バルブ組立てキット５４２は電動装置や機械式スイッチ等であり、燃料供給ユニット５４１の開閉を実現させる。また、上述のバルブ組立てキット５４２は制御ユニット５５に連結され、これにより、制御ユニット５５により燃料供給ユニット５４１の開閉程度が制御される。なお、温度検出ユニット５３は燃焼ユニット５４に連結され、温度検出ユニット５４は燃焼ユニット５４内の燃焼室５４５の燃料が燃焼されているか否かの検出に用いられる。温度検出ユニット５４は光感知スイッチである。また、温度検出ユニット５４は制御ユニット５５に連結され、点火組立てキット５４６は制御ユニット５５に連結される。これにより、制御ユニット５５により温度検出ユニット５４、点火組立てキット５４６、及びバルブ組立てキット５４２が制御され、燃焼の火力や一時停止が制御される。
【００２１】
具体的には、本実施形態に係る燃料輸送管５４３は燃焼室５４５と燃料供給ユニット５４１との間に連通され、燃料ノズル５４４は燃料輸送管５４３に連通され、燃料輸送管５４３の輸送により燃料供給ユニット５４１が燃焼室５４５に連通される。これにより、燃料供給ユニット５４１から供給される燃料が燃料輸送管５４３及び燃料ノズル５４４により燃焼室５４５中に輸送され、且つバルブ組立てキット５４２により燃料輸送管５４３の開閉が制御される。点火組立てキット５４６は燃焼室５４４に内設され、点火組立てキット５４６は燃焼室５４５中の燃料を点火させるために用いられる。また、本実施形態では、燃料室５４５に第１通気孔５４７及び第２通気孔５４８が設けられ、通気性が高まり、燃焼室５４５内部の空気の流動効率が向上する。ちなみに、上述の通気口の設置位置及び数量は一例にすぎず、本発明を制限するものではなく、通気口の設置位置及び数量は実際の状況に応じて調整可能である。
【００２２】
本実施形態では、燃焼室５４５は液体貯蔵ユニット５２の下方に設置され、具体的には、図２に示されるように、液体貯蔵ユニット５２中の貯水槽５２１の底部には凹部５２６を有し、燃焼室５４５は凹部５２６に位置される。これにより、上述凹部５２６内で燃焼が発生することにより貯水槽５２１の受熱面積が増加し、蒸気洗浄装置１００全体の蒸気の発生効率が高まる。
【００２３】
本実施形態では、熱伝導組立てキット５６は燃焼ユニット５４内の燃焼室５４５中に設置される。熱伝導組立てキット５６は導熱シート等であり、熱伝導効果が向上する。ちなみに、上述の熱伝導組立てキットの設置位置及び数量は一例にすぎず、本発明はこれに限定されず、熱伝導組立てキットの設置位置及び数量は実際の状況に応じて調整可能である。
【００２４】
図３は本発明の他の実施形態に係る蒸気洗浄装置を示す概略図である。ちなみに、図３の蒸気洗浄装置２００は図２の蒸気洗浄装置１００に相似し、同じ部材は同じ符号で表示し、且つ同じ効果を有するため重複する説明は省き、以下では差異についてのみ説明する。
【００２５】
図３及び図２の異なる点は、本実施形態に係る蒸気発生装置６０は、液体貯蔵ユニット６２の貯水槽６２１の底部が環状を呈すると共に内輪部６２６を有し、燃焼室６４５は内輪部６２６内に位置される。燃焼室６４５の底部には通気口６４７を有し、点火組立てキット６４６は部分的に燃焼室６４５内に位置されると共に燃料ノズル５４４に隣接する。よって、本実施形態に係る燃焼室６４５は環状内円を呈する内輪部６２６中に位置され、貯水槽６２１の受熱面積が増加する。
【００２６】
総合すると、本発明に係る蒸気発生装置及び蒸気洗浄装置は、蒸気発生装置が燃焼加熱方式で蒸気を発生させることにより、電力を加熱のエネルギー源とするメカニズムを代替させる。上述の蒸気発生装置が蒸気洗浄装置に運用されることで蒸気洗浄装置は電源コードが不要となり、無線蒸気洗浄装置機構とする。
【００２７】
さらに、上述の蒸気洗浄装置は、制御ユニットにより温度検出ユニット、点火組立てキット、及びバルブ組立てキットが制御され、燃焼の火力や一時停止が制御され、且つバルブ組立てキットにより燃料輸送管の開閉が制御される。また、貯水槽が凹型または環形に設計されることにより燃焼室が前述の凹型または環形内円に位置され、貯水槽の受熱面積が増加し、蒸気洗浄装置全体の蒸気の発生効率が高まる。
【００２８】
これ以外にも、本実施形態は燃焼室の通気口が増加されるため通気性も高まり、燃焼室内部の空気の流動効率も高まる。また、本実施形態は燃焼室内で導熱シート等の熱伝導組立てキットが増加されるため、熱伝導効果も高まる。
【００２９】
以上、本発明の実施形態について図面を参照して詳述したが、具体的な構成はこの実施形態に限られるものではなく、本発明の要旨を逸脱しない範囲の設計変更等も含まれる。
【符号の説明】
【００３０】
１００  蒸気洗浄装置
２００  蒸気洗浄装置
１１０  ハウジングユニット
５０  蒸気発生装置
６０  蒸気発生装置
５２  液体貯蔵ユニット
６２  液体貯蔵ユニット
５２１  貯水槽
６２１  貯水槽
５２２  水入口
５２３  蒸気出口
５２６  凹部
６２６  内輪部
５３  温度検出ユニット
５４  燃焼ユニット
５４１  燃料供給ユニット
５４２  バルブ組立てキット
５４３  燃料輸送管
５４４  燃料ノズル
５４５  燃焼室
６４５  燃焼室
５４６  点火組立てキット
５４７  第１通気孔
５４８  第２通気孔
５５  制御ユニット
５６  熱伝導組立てキット
【図１】
2018189357.tif 000003
【図２】
2018189357.tif 000004
【図３】
2018189357.tif 000005
【外国語明細書】
2018189357000001.pdf